(57)【要約】【課題】制御対象装置の設定を容易に行うことができるリモコン装置を提供すること。【解決手段】操作部４を有し、記憶部３ａを有する制御対象装置３に対して制御信号及び設定信号を送信可能なリモコン装置１であって、制御対象装置３への送信信号の出力レベルを、第１の出力レベルと第１の出力レベルよりも低い第２の出力レベルのいずれかに切り替える出力切替制御部２５と、操作部４において入力された入力データに基づいて、送信信号が制御信号と設定信号のいずれの信号かを判定し、送信信号が設定信号であるときは、送信信号を第２の出力レベルで送信するように出力切替制御部２５を制御する送信データ判定制御部２４とを有する。【選択図】図２
2009232234.tif 000002
【特許請求の範囲】
【請求項１】
操作部を有し、記憶部を有する制御対象装置に対して制御信号及び設定信号を送信可能なリモコン装置であって：
前記制御対象装置への送信信号の出力レベルを、第１の出力レベルと該第１の出力レベルよりも低い第２の出力レベルのいずれかに切り替える出力切替制御部と；
前記操作部において入力された入力データに基づいて、前記送信信号が前記制御信号と前記設定信号のいずれの信号かを判定し、前記送信信号が前記設定信号であるときは、前記送信信号を前記第２の出力レベルで送信するように前記出力切替制御部を制御する送信データ判定制御部と；
を有することを特徴とするリモコン装置。
【請求項２】
前記送信データ判定制御部は、前記操作部において前記送信信号を前記第１のレベルで出力する指定がされている場合は、前記送信信号が前記設定信号であっても、前記設定信号を前記第１の出力レベルで送信するように前記出力切替制御部を制御することを特徴とするリモコン装置。
【請求項３】
操作部を有し、記憶部を有する照明装置に対して制御信号及び設定信号を赤外線で送信可能なリモコン装置であって：
前記照明装置への赤外線信号の出力レベルを、第１の出力レベルと該第１の出力レベルよりも低い第２の出力レベルのいずれかに切り替える出力切替制御部と；
前記操作部において入力された入力データに基づいて、前記赤外線信号が前記制御信号と前記設定信号のいずれの信号かを判定し、前記送信信号が前記設定信号であるときは、前記設定信号を前記第２の出力レベルで送信するように前記出力切替制御部を制御する送信データ判定制御部と；
を有することを特徴とするリモコン装置。
【発明の詳細な説明】
【技術分野】
【０００１】
本発明は、リモコン装置に関し、照明装置等の制御対象装置に対して制御信号及び設定信号を送信可能なリモコン装置に関する。
【背景技術】
【０００２】
近年、リモコンを操作することによって、オフィス等の利用者が複数の照明装置を制御することが行われている。  
制御対象である照明装置は、オフィス、舞台等の建物空間内に設置される。利用者は、照明を点けたいときは、リモコンを用いてオン指令を１つの照明装置あるいは複数の照明装置に対して送信する。そして、利用者は、照明を消したいときは、リモコンを用いてオフ指令を１つの照明装置あるいは複数の照明装置に対して送信する。そのため、各照明装置は、それぞれに固有のアドレスを有しており、個別に制御可能になっている。
【０００３】
固有のアドレスの設定は、各照明装置にディップスイッチ等を設けて行うようにすることもできるが、各照明装置にスイッチ等を設けることは照明装置のコスト増になる。さらに、複数の照明装置の天井への取り付け後に利用者等は脚立等を用いてアドレス設定をしなければならないため、ディップスイッチ等の設定作業は、高所における作業であり、不便であり、繁雑な作業となる。
【０００４】
そこで、このような手間を要することなく個々の照明装置のアドレスの設定を、リモコンを用いて行う方法が提案されている（例えば、特許文献１参照）。その提案の技術によれば、アドレスの設定時に赤外線の出力を通常操作時より低減させることによって、アドレスを設定する照明装置以外の照明装置には、設定信号が届かないようにして誤設定をしないようにすることができる。  
【特許文献１】特開2000-48968号公報
【発明の開示】
【発明が解決しようとする課題】
【０００５】
しかし、その提案によれば、リモコンにモード切替スイッチを設け、アドレス設定の操作を行うときには、モード切替スイッチを、通常操作モードからアドレス情報設定操作モードに切り換えなければならない。
【０００６】
従って、照明装置を取り付け後にアドレスの設定を行うだけでなく、各種動作確認及びその他の各種設定を行わなければならない状況の中で、リモコン操作者はアドレス情報設定時には、意識してそのモード切替スイッチを操作しなければならず、操作者にとっては、モード切替スイッチの使い分けは繁雑であり、切り替え忘れも生じ得るという問題がある。特に、アドレス情報の設定以外の他の各種設定を個別の照明装置に行う場合については、上記提案ではなんら考慮されていない。
【０００７】
本発明は、上記問題点を鑑みなされたものであり、制御対象装置の動作の制御を行えるだけでなく、制御対象装置の設定を容易に行うことができるリモコン装置を提供することを目的とする。
【課題を解決するための手段】
【０００８】
本発明の請求項１に係るリモコン装置は、操作部を有し、記憶部を有する制御対象装置に対して制御信号及び設定信号を送信可能なリモコン装置であって：前記制御対象装置への送信信号の出力レベルを、第１の出力レベルと該第１の出力レベルよりも低い第２の出力レベルのいずれかに切り替える出力切替制御部と；前記操作部において入力された入力データに基づいて、前記送信信号が前記制御信号と前記設定信号のいずれの信号かを判定し、前記送信信号が前記設定信号であるときは、前記送信信号を前記第２の出力レベルで送信するように前記出力切替制御部を制御する送信データ判定制御部と、を有することを特徴とする。
【０００９】
本発明及び以下の請求項の各発明において、特に指定しない限り、用語の定義及び技術的意味は次による。
【００１０】
リモコン装置は、オフィス等において、照明装置等の制御対象装置を制御するために用いられる装置であるが、これに限定されない。
【００１１】
操作部は、例えば、操作キー、LCD等の表示部を有するものであるが、これに限定されず、タッチパネル等でもよい。
【００１２】
制御対象装置は、例えば、照明装置であるが、これに限定されない。
【００１３】
制御信号は、例えば、照明装置のオンあるいはオフの制御信号であるが、これに限定されない。
【００１４】
設定信号は、例えば、照明装置のアドレス設定又は照度設定のための設定信号であるが、これに限定されない。
【００１５】
送信信号は、例えば赤外線通信、可視光通信、電波通信、その他無線通信によって送信することができる。
【００１６】
送信信号の出力レベルは、例えば、通信信号の強さあるいは大きさであるが、これに限定されない。
【００１７】
ここで、通信信号の強さとは信号の強度であり、通信信号の強さが大きいほど遠方まで信号を送信することができる。また、通信信号の大きさとは例えば比較的指向性を有する赤外線通信や可視光通信においては送信方向における送信可能な範囲をいい、通信信号の大きさが大きくなるに従って広範囲に向けて信号を送信することができる。
【００１８】
出力切替制御部及び送信データ判定制御部は、それぞれ、例えばマイクロコンピュータにより実現される機能の一つであり、ソフトウエアプログラムにより、実現されるが、これに限定されない。
【００１９】
入力データは、例えば、操作部である操作キーを用いて入力されたデータで、制御信号あるいは設定信号のためのデータであるが、これに限定されない。
【００２０】
第１の出力レベルよりも低い第２の出力レベルは、例えば、送信信号が近傍の照明装置にのみ到達するようなレベルであるが、これに限定されない。
【００２１】
制御信号と設定信号の判定は、例えば、入力データの文字を、予め記憶されたデータの組み合わせと比較することによって行われるが、これに限定されない。
【００２２】
送信データ判定制御部は、例えば、入力データが「照度を２０％にする設定データ」であると判定すると、リモコン装置から送信される送信信号を、設定信号以外の信号を送信するときに出力レベルよりも低い出力レベルで送信するように、出力切替制御部を制御するが、これに限定されない。
【００２３】
以上の構成により、リモコン装置を用いて、作業者等は、制御対象装置の設定を容易に行うことができる。
【００２４】
本発明の請求項２に係るリモコン装置は、前記送信データ判定制御部は、前記操作部において前記送信信号を前記第１のレベルで出力する指定がされている場合は、記送信信号が前記設定信号であっても、前記設定信号を前記第１の出力レベルで送信するように前記出力切替制御部を制御することを特徴とする。
【００２５】
送信信号を第１のレベルで出力する指定がされている場合は、例えば、設定信号の送信であっても、複数の照明装置に対して同じ内容の設定をするために、操作部において送信信号を第一の出力レベルで出力するように指定されている場合であるが、これに限定されない。
【００２６】
以上の構成により、作業者等は、設定であっても、第２の出力レベルより大きい第１の出力レベルで設定信号を送信することができる。
【００２７】
本発明の請求項３に係るリモコン装置は、操作部を有し、記憶部を有する照明装置に対して制御信号及び設定信号を赤外線で送信可能なリモコン装置であって：前記照明装置への赤外線信号の出力レベルを、第１の出力レベルと該第１の出力レベルよりも低い第２の出力レベルのいずれかに切り替える出力切替制御部と；前記操作部において入力された入力データに基づいて、前記赤外線信号が前記制御信号と前記設定信号のいずれの信号かを判定し、前記送信信号が前記設定信号であるときは、前記設定信号を前記第２の出力レベルで送信するように前記出力切替制御部を制御する送信データ判定制御部と；を有することを特徴とする。
【００２８】
以上の構成により、リモコン装置を用いて、作業者等は、制御対象装置の設定を容易に行うことができる。
【発明の効果】
【００２９】
本発明の請求項１あるいは３のリモコン装置によれば、リモコン装置を用いて、作業者等は、制御対象装置の設定を容易に行うことができる。
【００３０】
本発明の請求項２のリモコン装置によれば、作業者等は、設定であっても、第２の出力レベルより大きい第１の出力レベルで設定信号を送信することができる。
【発明を実施するための最良の形態】
【００３１】
以下、本発明を実施の形態により説明する。  
（第１の実施の形態）
図１は、本発明の第１の実施の形態に係るリモコン装置が利用される環境の例を説明するための図である。
【００３２】
リモコン装置（以下、単にリモコンという）１は、オフィス、舞台等の建物内の空間において天井２に取り付けられた複数の、ここでは３つの照明装置３A,３B,３C（以下、３つの照明装置を纏めて指すとき、あるいは各照明装置を指すときは、照明装置３という）を制御するために、用いられる。  
リモコン１は、数字キー、ENTERキー等の各種キーからなる操作キー部４ａと、入力内容、操作内容等を表示するための液晶表示装置等の表示部４ｂとを有している。リモコン１を操作する者により操作キー部４ａのキーに対して所定の操作がされることによって、リモコン１から、オン・オフ信号等の制御信号が、各照明装置３に送信される。
【００３３】
なお、表示部４ｂは、入力及び表示可能なタッチパネルでもよく、タッチパネルによる操作により、リモコン１から各照明装置３に、制御信号が送信されるようにしてもよい。
【００３４】
制御対象装置である各照明装置３は、設定データを記憶する記憶部３ａと、赤外線信号を受信するための赤外線受信部５と、赤外線送信部６と、照明用のランプ７を有している。さらに図示しないが、各照明装置３は、ランプ７を駆動するための駆動回路、赤外線受信部５で受信した信号に基づいて駆動回路を制御し、かつ赤外線送信部６を駆動制御する制御部を有している。
【００３５】
リモコン１の操作者は、操作キー部４ａのキーを操作して、各照明装置３のアドレスと、オンあるいはオフの制御信号を入力あるいは指定することにより、所望の照明装置３だけを制御することができる。あるいは、個別のアドレスを入力しないことにより、３つの照明装置３を纏めて制御することもできる。
【００３６】
さらに、リモコン１を利用して、照明装置３の設置あるいは調整を行う作業者あるいは居室の利用者は、各照明装置３の各種設定を行うことができる。設定内容としては、例えば、照明装置毎の明るさ、タイマ設定時の照明装置毎のオン時間あるいはオフ時間、時間帯に応じた３つの照明装置３のオンとオフの状態パターン、等がある。設定は、３つの照明装置３について共通に行われる内容もあれば、個別に行われるものもある。
【００３７】
設定は、操作キー部４ａのキーを操作して、リモコン１から設定信号を各照明装置３に送信することによって行われる。後述するように、設定においては、作業者は、各照明装置３のアドレスを入力すなわち指定する必要はない。
【００３８】
次に、リモコン１の構成について説明する。図２は、リモコン１の構成の例を示すブロック図である。  
図２に示すように、リモコン１は、電池等のバッテリ部１１と、電源回路部１２と、上述した操作キー部４ａ及び表示部４ｂからなる操作部４と、後述する処理を行う制御部としてのマイクロプロセッサ１３と、赤外線受信部１４と、受信信号入力インターフェース（以下、インターフェースをI/Fと略す）回路１５と、高出力駆動回路１６ａと、低出力駆動回路１６ｂと、赤外線発光用LED１７と、フラッシュメモリ１８とを含んで構成されている。
【００３９】
バッテリ部１１は、AC電源端子２１に接続され、さらに、ダイオード２２を介して電源回路部１２に接続されている。電源回路部１２は、AC電源端子２１とバッテリ部１１とに接続されている。電源回路部１２は、バッテリ電源１１あるいはAC電源からの電力を受けて、リモコン１内の各種回路へ供給する電源を生成し、供給する。リモコン１は、AC電源と電池のいずれでも動作可能に構成されている。
【００４０】
操作部４において、リモコン１の操作者が操作キー部４ａを操作すると、操作内容に応じたデータ、コマンド等が表示部４ｂに表示され、操作者は、その表示内容を見ながら、操作内容を確認することができる。表示部４ｂには、例えば、制御対象機器、オンあるいはオフの制御内容、入力された数値、等の入力データが表示される。操作者は、表示された内容あるいは選択された内容を確認した上で、「ENTER」等の決定ボタンを押すことによって、制御信号あるいは設定信号を赤外線で送信することができる。  
赤外線受信部１４は、各照明装置３の赤外線送信部６からの信号を受信するセンサであり、受信した信号を受信信号入力I/F回路１５に出力する。  
受信信号入力I/F回路１５は、受信した信号をマイクロプロセッサ１３が受信できる形式の信号に変換して、マイクロプロセッサ１３に供給する。なお、表示部４ｂには、受信した信号の内容も表示可能となっている。
【００４１】
高出力駆動回路１６ａは、マイクロプロセッサ１３から受信した送信信号を、高出力レベルで、LED１７に供給する。  
低出力駆動回路１６ｂは、マイクロプロセッサ１３から受信した送信信号を、高出力駆動回路１６ａの出力レベルよりも低い出力レベルで、LED１７に供給する。
【００４２】
一般的なオフィスでは、リモコン１から天井２に取り付けられた照明装置３までの距離は１．５ｍ程度であり、低出力駆動回路１６ｂから出力される送信信号の出力レベルは、LED１７から出力される送信信号の赤外線がそのような距離までしか到達しない程度の強さあるいは大きさである。逆に、高出力駆動回路１６ａから出力される送信信号の出力レベルは、低出力駆動回路１６ｂの駆動信号の大きさよりは大きく、かつLED１７から出力される送信信号の赤外線が複数の照明装置３にまで到達する強さあるいは大きさである。
【００４３】
なお、図２において２点鎖線で示すように、LED１７とは別に、もう一つLED１７ａを設け、高出力用のLED１７と低出力用のLED１７ａというように使い分けてもよい。
【００４４】
フラッシュメモリ１８は、マイクロプロセッサ１３に接続されており、各種設定データ、受信データ等を記憶する。なお、フラッシュメモリ１８の代わりに、EEPROM等の他の書き換え可能な不揮発性メモリを用いてもよい。
【００４５】
マイクロプロセッサ１３は、図示しないROMとRAMを含み、さらに、ROMに記録されたプログラムをRAMを用いて実行する中央処理装置（CPU）も含む。ROMに記憶されたプログラムを実行することにより、リモコン１の各種機能が実現される。
【００４６】
図２において、マイクロプロセッサ１３の枠の中は、マイクロプロセッサ１３の複数の機能ブロックを示している。各機能ブロックは、ソフトウエアプログラムによって実現される。
【００４７】
マイクロプロセッサ１３は、主制御部２１と、受信信号判定部２２と、送信データ生成部２３と、送信データ判定制御部２４と、出力切替制御部２５と含む。
【００４８】
主制御部２１は、マイクロプロセッサ１３に接続された各回路から入力される信号の処理を行うと共に、特に、操作部４から信号を受信し、かつ操作部４への表示信号を生成して出力する処理を行う。さらに、制御部２１は、受信信号判定部２２からの受信データを受信し、送信データ判定制御部２４に対する制御を行う。
【００４９】
受信信号判定部２２は、受信信号入力I/F回路１５からの受信信号を受信し、受信信号の内容を判定する処理部である。受信信号は、ACK信号、照明装置３に設定された値の信号等であり、照明装置３から送信される。
【００５０】
送信データ生成部２３は、操作部４において入力された入力データから、送信データを生成する処理部である。送信データ生成部２３は、例えば、入力されたあるいは指定された指示が「照度」であり、値としてのデータが「２０％」であれば、送信データとして、「照度」のデータと「２０％」のデータを組み合わせて、設定用の所定の形式に従った送信データを生成する。
【００５１】
送信データ判定制御部２４は、送信データ生成部２３で生成された送信データすなわち入力データが設定信号のデータであるか否かを判定し、出力切替制御部２５に判定結果信号あるいは切替制御信号を出力する処理部である。
【００５２】
出力切替制御部２５は、送信データ判定制御部２４からの判定結果信号あるいは切替制御信号に基づいて、送信信号を、マイクロプロセッサ１３の高出力駆動回路用ポート１３ａと、低出力駆動回路用ポート１３ｂの２つの出力ポートのいずれに出力するかを切り替える処理部である。
【００５３】
送信データ判定制御部２４が送信データすなわち入力データが設定信号のデータであると判定したときは、その判定結果信号あるいは切替制御信号を受信した出力切替制御部２５は、マイクロプロセッサ１３の所定のポート１３ｂを介して、送信データを低出力駆動回路１６ｂに出力する。送信データが設定に関するデータでないと判定されたときは、出力切替制御部２５は、判定結果信号あるいは切替制御信号に基づいて、マイクロプロセッサ１３の所定のポート１３ａを介して、送信データを高出力駆動回路１６ａに出力する。
【００５４】
その結果、設定信号は低出力レベルで送信され、設定信号以外は、高出力レベルで送信される。
【００５５】
次に、リモコン１の処理について説明する。  
図３は、リモコン１におけるマイクロプロセッサ１３の処理の流れの例を示すフローチャートである。図３の処理に係るプログラムは、ROM（図示せず）に記憶されており、そのプログラムが読み出されて、マイクロプロセッサ１３のCPUにより実行される。
【００５６】
操作者は照明装置３に対して所望の制御あるいは所望の設定を行いたい場合、リモコン１の操作部４を操作して、制御あるいは設定に関わる操作を行い、必要なデータを入力する。例えば、操作者は、３台の照明装置３を全てオンしたいときは、リモコン１の照明オンの操作キーの押下あるいは照明オンの選択の指示を行う。そして、操作者は、特定の照明装置３だけをオンしたいときは、オンしたい照明装置３のアドレスと、照明オンの操作キーの押下等を行う。
【００５７】
また、操作者が特定の照明装置３に所望の設定を行いたい場合、リモコン１をその照明装置３の近くに移動し、設定に関わる情報を入力する。例えば、ある照明装置３のオン時の照明の明るさ、すなわち照度を、通常時の１００％出力の２０％にしたいときは、操作者は、リモコン１をその照明装置３の近傍に持っていき、リモコン１の照度設定キーの押下あるいは照度設定の選択と、「２０」という値の入力とを行う。そして、一日の時間帯に合わせて照度を変更する設定を行うときは、リモコン１の操作キーの中から時間帯のデータ入力あるいは指定と、照度のデータの入力を行う。
【００５８】
リモコン１から制御あるいは設定の送信信号を送信するタイミングは、操作ボタンの押下時でもよいし、あるいは所定の入力あるいは設定後の、「ENTER」キー等の決定ボタンの押下時でもよい。
【００５９】
従って、まず、CPUは、操作者が制御あるいは設定のために入力した文字等を含めて、入力された文字毎に入力されたあるいは指定された操作入力の判定を行う操作入力判定処理を実行する（ステップS1）。
【００６０】
入力された文字等が確定されれば、入力された文字等を送信データの一部のデータと判定して、CPUは、その文字等に基づいて送信データを生成する送信データ生成処理を実行する（ステップS2）。
【００６１】
そして、入力あるいは指定されたデータの入力操作が終了したか否かが判定される（ステップS3）。その操作終了の判定は、上述したように例えば、「ENTER」キーが押されたか否かによって行われる。  
「ENTER」キーが押されなければ、処理はステップS1に戻る。ステップS1とS2の処理が、送信データ生成部２３を構成する。
【００６２】
「ENTER」キーが押されれば、操作が終了したとして、ステップS3でYESとなり、送信データの内容を判定する送信データ内容判定処理が実行される（ステップS4）。
【００６３】
送信データの内容判定は、送信データに含まれるデータの組み合わせに基づいて行われる。  
例えば、上述した例であれば、照明装置３の照度を通常時の照度の２０％に設定したいとする。操作者は、照度の設定を行う所定の手順でリモコン１の操作部４を操作する。その場合、送信データは、「照度の設定」を示すデータあるいはコマンドと、「通常時の照度の２０％」を示す「２」と「０」のデータを、所定の形式で含むことになる。あるいは、上述した例であれば、一日の時間帯に合わせて照度を変更する設定を行いたいときは、操作者は、時間帯に応じた照度の設定を行うように、所定の他の手順でリモコン１の操作部４を操作する。その場合、送信データは、「時間帯に応じた照度の設定」を示すデータあるいはコマンドと、変更する照度のデータを、所定の形式で含むことになる。
【００６４】
また、舞台における照明の場合は、シーン毎に各照明装置３の照度の設定を行う場合がある。その場合は、送信データは、「シーン毎の照度の設定」を示すデータあるいはコマンドと、シーン番号等を示すデータと、各シーンに対応した「通常時の照度の２０％」を示す「２」と「０」のデータを、所定の形式で含むことになる。
【００６５】
そして、リモコン１から送信される、設定操作時の送信データに含まれるデータの組み合わせに関する情報は、フラッシュメモリ１８あるいはROM（図示せず）に、予め登録されている。すなわち、送信データ中のデータの組み合わせにおいて、設定信号に関する組み合わせデータが、フラッシュメモリ１８等に予め登録されている。例えば、「照度の設定」というデータと、数値データの組み合わせであれば、設定信号の送信データであると登録される。また、「時間帯に応じた照度の設定」というデータと、数値データの組み合わせであれば、設定信号の送信データであると登録される。
【００６６】
このような設定信号に関する送信データの組み合わせデータがフラッシュメモリ１８等に予め記憶されているので、CPUは、送信データ生成部２３の生成した送信データ中に含まれるデータの組み合わせが、登録された組み合わせデータと一致するか否かを判定することによって、送信データが、設定信号の送信データであるか否かを判定することができる。
【００６７】
CPUは、高出力設定がされているかを判定し（ステップS6）、送信データが設定信号に関するものであるときは、ステップS5でYESとなる。
【００６８】
送信信号が設定信号であるときは、さらに、リモコン１の出力が高出力設定に設定されているか否かが判定される（ステップS6）。  
高出力設定は、リモコン１の所定操作ボタンの操作、あるいはリモコン１の操作キー部４ａに対する所定の設定操作により行われる。
【００６９】
例えば、設定操作であるが、１台の照明装置３にだけに行うのではなく、３台全てに対して共通の内容で設定を行いたい場合がある。高出力設定は、このような場合に対応するための設定であり、その設定が行われると、設定操作であっても、赤外線は通常時と同じ強さでリモコン１から出力される。
【００７０】
高出力設定がされていないときは、ステップS6でNOとなり、入力された設定データを送信する回路として、低出力駆動回路１６ｂを選択する設定データ送信回路選択処理が実行される（ステップS7）。具体的には、低出力駆動回路１６ｂを介して送信データが送信されるように、送信データの出力ポートをポート１３ｂとするように制御が行われる。ステップS4,S5,S7の処理が、送信データ判定制御部２４を構成する。
【００７１】
また、送信データが設定信号に関するデータでない場合（すなわちステップS5でNOの場合）、あるいは高出力設定がされている場合（すなわちステップS6でYESの場合）、制御データを送信する回路として高出力駆動回路を選択する制御データ送信回路選択処理が実行される（ステップS8）。具体的には、高出力駆動回路１６ａを介して送信データが送信されるように、送信データの出力ポートをポート１３ａとするように制御が行われる。
【００７２】
そして、ステップS7及びS8の処理の後は、データ送信処理が実行される（ステップS9）。具体的には、送信データが出力切替制御部２５から出力される処理が実行される。ステップS5からS9の処理が、出力切替制御部２５を構成する。  
設定データが入力される低出力駆動回路１６ｂは、上述したように、例えばリモコン１から照明装置３までの距離は１．５ｍ程度である場合が多く、照明装置３間は２ｍ以上の場合が多い。よって、赤外線が１．５ｍ以上離れた照明装置３では適切に受信できないような低出力で送信信号を送信するようにLED１７は駆動される。その結果、リモコン１の近傍の照明装置３のみが送信信号を受信するので、その照明装置３でのみ設定が行われる。
【００７３】
制御データ（あるいは高出力設定時の設定データ）が入力される高出力駆動回路１６ａは、赤外線が１．５ｍ以上離れた照明装置３においても適切に受信できるような高出力で送信信号を送信するようにLED１７は駆動される。
【００７４】
以上のように、本実施の形態に係るリモコンは、送信データを解析して送信データが設定用か制御用かの判定を行い、設定用の送信データであれば、低出力の赤外線で送信信号を送信する。よって、操作者は、設定データを入力するだけで、自動的に送信信号はリモコン近傍の照明装置３だけによって受信される。
【００７５】
なお、上記の例では、送信データの内容を判定した後、送信データが設定データでないときに、判定結果信号あるいは切替制御信号に基づいて、制御データ送信回路選択処理が行われているが、出力切替制御部２５は、通常は、高出力駆動回路１６ａに送信データを出力するようになっており、低出力駆動回路１６ｂに切り替える制御信号が入力されたときだけ、低出力駆動回路１６ｂに送信データを出力するようにしてもよい。
【００７６】
（第２の実施の形態）
次に、本発明の第２の実施の形態について説明する。  
第１の実施の形態では、操作部４において入力され、送信データ生成部２３で生成された送信データに基づいて設定用の送信データであるか否かを判定し、設定用の送信データのときに、低出力で送信信号を送信するように、リモコン１は構成されていた。これに対して、第２の実施の形態に係るリモコン１Aは、制御対象装置に対して、設定データの送信要求がされた後は、自動的に送信信号を低出力で送信するように、リモコン１Aは構成されている。
【００７７】
作業者等は、本実施の形態のリモコン１Aを用いて、第１の実施の形態で説明したように、あるいは個々の照明装置３のアドレスを指定して、天井等に取り付けられた制御対象装置である照明装置３に各種設定を行うことができるが、さらに、設定データが既に設定されているかを確認するために、各照明装置３に対して、設定データの送信要求を行うこともできる。
【００７８】
例えば、オフィス等に取り付けられた各照明装置３に対して、設定データの送信要求のコマンドを送ると、そのコマンドを受信した照明装置３は、非揮発性メモリ等の記憶部３ａに記憶されている設定データを、赤外線送信部６から出力する。  
その結果、照明装置３から出力されたデータは、リモコン１Aで受信され、操作者は、表示部１ｂに表示された設定データの内容を確認することができる。
【００７９】
通常、設定作業は、多くの照明装置３に対して行われるため、設定データが全く設定されていないのか、設定されたデータが適切であるか、等の確認が必要となる。よって、設定データ送信要求が行われたときは、続いて設定作業が行われる場合が多い。
【００８０】
そこで、本実施の形態では、一旦設定データの送信要求をしたときには、その後に送信される送信データは設定用の送信データである場合が多いので、所定の解除がされるまであるいは所定の時間の経過があるまで、送信信号を低出力で出力するように、リモコン１Aは構成されている。
【００８１】
図４は、本実施の形態に係るリモコンの構成の例を示すブロック図である。図４において、図２と同じ構成要素については、同じ符号を付し説明は省略する。主に異なる構成について説明する。
【００８２】
リモコン１Aの操作部４において、ある照明装置３に対する設定データの送信要求が指定されて、設定データ送信要求が送信データとして出力された場合、主制御部２１はその設定データ送信要求の送信を検出する。そして、主制御部２１は、その設定データ送信要求の送信を検出すると、その後の送信データが出力駆動回路１６ｂを介して出力されるように、出力切替制御部２５ａに切替制御信号を出力する。出力切替制御部２５ａは、その切替制御信号を受信すると、その後の送信データを出力ポート１３ｂに出力するように切り替える。
【００８３】
なお、後述するように、リモコン１Aにおいて、設定作業の終了の指示あるいは低出力の解除又は禁止の指示が操作部４においてなされると、主制御部２１は、送信データを出力ポート１３ａに出力するようにするための制御信号を出力切替制御部２５ａに出力する。
【００８４】
次に、リモコン１Aの処理について説明する。  
図５は、リモコン１Aにおけるマイクロプロセッサ１３の処理の流れの例を示すフローチャートである。図３と同じ処理については同じステップ番号を付し説明は省略し、異なる処理部分について主として説明する。
【００８５】
まず、図５の処理では、CPUは、リモコン１Aから設定データ送信要求が出力されたか否かを判断する（ステップS11）。この判断は、CPUが、１）操作部４における操作を監視し操作が設定データの送信要求の操作であるか否かによって、２）送信データの内容を監視し送信データが設定データの送信要求であるか否かによって、あるいは３）受信したデータが照明装置の設定データに関するデータ（何のデータも設定されていないというデータを含む）であるか否かによって、行うことができる。この判断は、主制御部２１において行われ、主制御部２１は、判断結果信号あるいは出力切替制御信号を出力切替制御部２５ａに出力する。
【００８６】
設定データ送信要求がなければ、ステップS11でNOとなり、処理は、何もせず終了する。
【００８７】
設定データ送信要求があったときは、ステップS11でYESとなり、設定データ送信回路選択処理に移行し（ステップS7）、送信データが低出力駆動回路１６ｂに供給されるように、送信データの出力ポートの切替が行われる。出力切替制御部２５ａは、主制御部２１からの判断結果信号あるいは出力切替制御信号に基づいて、出力ポートの切替を行う。
【００８８】
その後、処理は、ステップS1からS2の処理に移行する。  
そして、操作部４において、設定作業の終了の指示あるいは設定作業を解除等の指示がされたか否かが判定される（ステップS12）。そのような解除等の指示があったときは、処理は、ステップS13に移行する。解除等の指示があったときは、その後の設定データの送信処理は行わずにステップS13に移行する。解除等の指示がなければ、処理は、ステップS3に移行し、操作終了か否かが判定される。
【００８９】
操作終了の場合は、ステップS3でYESとなり、さらに高出力の設定がされているか否かを判定し（ステップS6）、高出力設定がされていなければ、データ送信処理が行われる（ステップS9）。なお、高出力設定がされているときは、制御データ送信回路選択処理S7が行われてから、データ送信処理が実行される。
【００９０】
データ送信処理が終了すると、処理は、ステップS13の解除処理に移行する。  
解除処理では、ステップS7で送信データの出力ポートとして低出力駆動回路１６ｂが選択されていた状態を解除する処理が行われる。
【００９１】
以上のように、第２の実施の形態に係るリモコン１Aによれば、設定データ送信要求がなされた後は、自動的に設定データを低出力駆動回路１６ｂに出力して、低出力の赤外線で送信データが送信される。
【００９２】
なお、上記の例では、設定データ送信回路の選択の解除処理は、解除等の指示があったときに行われるが、タイマを利用して設定データ送信要求があってから所定の時間が経過するまでに何のデータも送信されないときは、解除処理が行われるようにしてもよい。
【００９３】
以上のように、上述した２つの実施の形態によれば、リモコンにモード切替スイッチを設けて、アドレス設定時に切り替えるというようなことをしなくても、設定信号は、自動的に低出力で送信されるので、制御対象装置に対する設定操作を容易に行うことができるリモコンを実現することができる。特に、所望の制御対象装置だけに設定変更の信号を送信でき、他の装置まで設定変更されることを防止できるので、作業者等にとっての利便性も向上する。
【００９４】
また、リモコンにディップスイッチ等のハードウェア回路を設ける必要もないので、リモコンを少ない部品点数で安価に製造することができる。
【００９５】
なお、上述した各機能は、本実施の形態では、CPUが実行する各機能に対応するソフトウエアプログラムにより実現しているが、ハードウェア回路により実現してもよい。
【００９６】
さらになお、以上の２つの実施の形態では、制御対象装置として照明装置を例に挙げたが、照明装置以外の装置に対しても、上述した各実施の形態のリモコンは適用可能である。例えば、照明装置、スピーカ、幕等を吊り下げるバトン等の装置にも適用可能である。
【００９７】
また、上述した２つの実施の形態のリモコンでは、設定信号等を送信するために赤外線が用いてられているが、電波等の他の手段でもよい。
【００９８】
本発明は、上述した実施の形態に限定されるものではなく、本発明の要旨を変えない範囲において、種々の変更、改変等が可能である。
【図面の簡単な説明】
【００９９】
【図１】本発明の第１の実施の形態に係るリモコン装置が利用される環境の例を説明するための図である。
【図２】本発明の第１の実施の形態に係るリモコンの構成の例を示すブロック図である。
【図３】本発明の第１の実施の形態に係るリモコンにおけるマイクロプロセッサの処理の流れの例を示すフローチャートである。
【図４】本発明の第２の実施の形態に係るリモコンの構成の例を示すブロック図である。
【図５】本発明の第２の実施の形態に係るリモコンにおけるマイクロプロセッサの処理の流れの例を示すフローチャートである。
【符号の説明】
【０１００】
１，１A  リモコン、３（３A、３B、３C）  照明装置、４  操作部、４ａ  操作キー、１７，１７ａ  LED、２４  送信データ判定制御部、２５  出力切替制御部
【図１】
2009232234.tif 000003
【図２】
2009232234.tif 000004
【図３】
2009232234.tif 000005
【図４】
2009232234.tif 000006
【図５】
2009232234.tif 000007